(57)【要約】  記録媒体を保持する保持部材を小型化して、全体を小型化しても、保持部材から記録媒体が脱落することを防止できる記録媒体再生装置を提供する。  ＣＤチェンジャ１は複数のホルダ１９とディスク再生部とストッパ部１００を備えている。ホルダ１９はＣＤを保持する。ストッパ部１００は一方側ストッパ１０３と他方側ストッパ１０４と揺動ストッパ１０５と昇降ストッパ１０６と補助ストッパ１０７を備えている。ディスク再生部が一つのＣＤを再生する際に一方側ストッパ１０３が矢印Ｋ１側の他のＣＤを支え他方側ストッパ１０４と補助ストッパ１０７が矢印Ｋ２側の他のＣＤを支える。揺動ストッパ１０５は一つのＣＤを支えこの一つのＣＤがディスク再生部にクランプされると一つのＣＤから退避する。昇降ストッパ１０６はＣＤを出し入れする際に一方側ストッパ１０３又は他方側ストッパ１０４とともにＣＤを支える。【特許請求の範囲】
【請求項１】
記録媒体を保持可能な複数の保持部材を積層配列する収容部と、
前記保持部材の配列方向に沿って移動するとともに前記保持部材に保持された記録媒体をクランプして再生する再生手段と、
前記収容部に収容された記録媒体の情報記録面と対向する位置に前記再生手段を移動する移動手段と、
一つの記録媒体を保持する保持部材と他の記録媒体を保持する保持部材とを前記配列方向に沿って離間する分離手段と、を備えた記録媒体再生装置であって、
前記保持部材の配列方向のうち一方側の壁に取り付けられ、かつ前記記録媒体を出し入れする挿入口と前記保持部材との間に設けられているとともに、前記一つの記録媒体を前記再生手段で再生する際に、この一つの記録媒体より前記一方側の他の記録媒体を支える一方側ストッパと、
前記保持部材の配列方向のうち他方側の壁に取り付けられ、かつ前記挿入口と前記保持部材との間に設けられているとともに、前記一つの記録媒体を前記再生手段で再生する際に、この一つの記録媒体より前記他方側の他の記録媒体を支える他方側ストッパと、
前記再生手段とともに前記配列方向に沿って移動し、かつ前記挿入口と前記保持部材との間に設けられているとともに、前記再生手段が再生する一つの記録媒体をクランプするまで支え、前記再生手段が前記一つの記録媒体をクランプするとこの一つの記録媒体から退避する揺動ストッパと、
前記再生手段とともに前記配列方向に沿って移動し、かつ前記挿入口と前記保持部材との間に設けられているとともに、前記保持部材に保持された記録媒体を支えることが可能な昇降ストッパと、
を備えたことを特徴とする記録媒体再生装置。
【請求項２】
前記再生手段とともに前記配列方向に沿って移動し、かつ前記挿入口と前記保持部材との間に設けられているとともに、前記一つの記録媒体を前記再生手段で再生する際に、この一つの記録媒体より前記他方側の他の記録媒体を前記他方側ストッパとともに支える補助ストッパを備えたことを特徴とする請求項１記載の記録媒体再生装置。
【発明の詳細な説明】
【技術分野】
【０００１】
本発明は、自動車などに搭載される記録媒体再生装置に関し、更に詳しくは、複数の記録媒体を機器本体内に収容し、これらの記録媒体のうち一つの記録媒体に記録された情報を再生する記録媒体再生装置に関する。
【背景技術】
【０００２】
コンパクトディスク（以下、ＣＤと記す）などの記録媒体を複数枚収容し、これら複数の記録媒体から任意の一つの記録媒体の情報を再生する記録媒体再生装置が用いられている（例えば、特許文献１参照）。この種の記録媒体再生装置は、例えば、自動車などに搭載されるとともに、機器本体と、複数の保持部材と、分離機構と、再生機構などを備えている。【０００３】
機器本体は、扁平な箱状に形成されている。複数の保持部材は、互いに重ねられた格好で機器本体内に収容されている。分離機構は、複数の保持部材それぞれを、これらの保持部材が重なる方向に沿って移動する。分離機構は、複数の保持部材を移動して、情報を再生する記録媒体を保持した一つの保持部材を、他の保持部材から離す。【０００４】
再生機構は、機器本体に一端部を中心として回転自在に設けられた揺動シャーシと、この揺動シャーシ上に設置されたピックアップ駆動部とを備えている。ピックアップ駆動部は、揺動シャーシに移動自在に設けられた移動フレームと、この移動フレーム上に設けられたターンテーブルと、光ピックアップと、を備えている。ターンテーブルは、記録媒体をクランプして、この記録媒体を回転する。光ピックアップは、ターンテーブルに接離して、記録媒体の情報記録面の所定の位置から情報を読み出す。【０００５】
前述した記録媒体再生装置は、分離機構が一つの記録媒体を保持した保持部材を、他の保持部材から離す。そして、記録媒体再生装置は、再生機構の揺動シャーシが一端部を中心として回転することで、ピックアップ駆動部が、前述した一つの記録媒体と他の記録媒体との間に侵入する。記録媒体再生装置は、光ピックアップが記録媒体から情報を読み出して、この読み出した情報を再生する。また、記録媒体再生装置は、分離機構が保持部材を移動する際には、揺動シャーシ則ちピックアップ駆動部が前述した一つの記録媒体と他の記録媒体との間から抜け出る。
【特許文献１】特開２００２−３０４８００号公報
【発明の開示】
【発明が解決しようとする課題】
【０００６】
前述した記録媒体再生装置の保持部材として、例えば、図１に示すホルダ２０１が用いられることがある。ホルダ２０１は、図１に示すように、平板状に形成されており、両端部２０１ａ，２０１ｂに前述した記録媒体２０２の外縁部に係止する図示しない係止部材を設けている。【０００７】
しかしながら、前述した記録媒体再生装置は、勿論、小型化が求められている。このため、本発明の出願人は、前述したホルダをＣ字状に形成して小型化して、記録媒体再生装置自体の小型化を図ることを提案している。ホルダをＣ字状にして小型化すると、機器本体の挿入口とホルダとの間隔が拡がり、挿入又は排出される記録媒体が、ホルダと挿入口との間から脱落して、機器本体内に閉じ込められることが考えられる。【０００８】
また、ホルダをＣ字状にして小型化すると、前記ホルダの記録媒体の保持力が十分でなくなる。このため、所望のホルダと他のホルダとを分離して、この所望のホルダに保持された記録媒体の情報を再生するために、ホルダを機器本体内で昇降させると、前記ホルダの記録媒体の保持力が十分でないため、ホルダから記録媒体が脱落することが考えられる。【０００９】
本発明の目的は、例えば、記録媒体を保持する保持部材を小型化して、全体を小型化しても、保持部材から記録媒体が脱落することを防止できる記録媒体再生装置を提供することにある。
【課題を解決するための手段】
【００１０】
前記課題を解決し目的を達成するために、本発明の記録媒体再生装置は、記録媒体を保持可能な複数の保持部材を積層配列する収容部と、前記保持部材の配列方向に沿って移動するとともに前記保持部材に保持された記録媒体をクランプして再生する再生手段と、前記収容部に収容された記録媒体の情報記録面と対向する位置に前記再生手段を移動する移動手段と、一つの記録媒体を保持する保持部材と他の記録媒体を保持する保持部材とを前記配列方向に沿って離間する分離手段と、を備えた記録媒体再生装置であって、前記保持部材の配列方向のうち一方側の壁に取り付けられ、かつ前記記録媒体を出し入れする挿入口と前記保持部材との間に設けられているとともに、前記一つの記録媒体を前記再生手段で再生する際に、この一つの記録媒体より前記一方側の他の記録媒体を支える一方側ストッパと、前記保持部材の配列方向のうち他方側の壁に取り付けられ、かつ前記挿入口と前記保持部材との間に設けられているとともに、前記一つの記録媒体を前記再生手段で再生する際に、この一つの記録媒体より前記他方側の他の記録媒体を支える他方側ストッパと、前記再生手段とともに前記配列方向に沿って移動し、かつ前記挿入口と前記保持部材との間に設けられているとともに、前記再生手段が再生する一つの記録媒体をクランプするまで支え、前記再生手段が前記一つの記録媒体をクランプするとこの一つの記録媒体から退避する揺動ストッパと、前記再生手段とともに前記配列方向に沿って移動し、かつ前記挿入口と前記保持部材との間に設けられているとともに、前記保持部材に保持された記録媒体を支えることが可能な昇降ストッパと、を備えたことを特徴としている。
【図面の簡単な説明】
【００１１】
【図１】従来の保持部材としてのホルダを示す斜視図である。
【図２】本発明の一実施例にかかる記録媒体再生装置としてのＣＤチェンジャの外観を示す斜視図である。
【図３】図２に示されたＣＤチェンジャの互いに組み付けられた固定シャーシとディスク搬送部とディスク再生部とディスク収容部と分離機構を示す斜視図である。
【図４】図３に示された固定シャーシとディスク再生部とディスク収容部との一部を分解して示す斜視図である。
【図５】図４に示されたディスク収容部と駆動シャーシとの組み付け状態を示す斜視図である。
【図６】図３に示されたディスク収容部のホルダと離間溝拡縮機構とを示す斜視図である。
【図７】図６に示された離間溝拡縮機構を拡大して示す斜視図である。
【図８】図７に示された離間溝拡縮機構の移動部材が第２壁から最も離れて一つのホルダの突起と案内溝とが相対した状態を示す斜視図である。
【図９】図８に示された状態の離間溝拡縮機構のカム部材等を回転して突起を案内溝の再生部に位置付けた状態を示す斜視図である。
【図１０】図７に示された離間溝拡縮機構のカム部材が第２壁に最も近づいて一つのホルダの突起と案内溝とが相対した状態を示す斜視図である。
【図１１】図１０に示された状態の離間溝拡縮機構のカム部材等を回転して突起を案内溝のローディング部に位置付けた状態を示す斜視図である。
【図１２】図７に示された離間溝拡縮機構を拡大して示す斜視図である。
【図１３】図１２に示された離間溝拡縮機構のカム部材と移動部材が最も上方に位置した状態を示す斜視図である。
【図１４】図１２に示された離間溝拡縮機構の移動部材が最も上方に位置しカム部材が中央部に位置した状態を示す斜視図である。
【図１５】図１２に示された離間溝拡縮機構を分解して示す斜視図である。
【図１６】図２に示されたＣＤチェンジャのホルダを示す斜視図である。
【図１７】図２に示されたＣＤチェンジャのストッパ部などの配置状況を示す斜視図である。
【図１８】図１７に示された一方側ストッパを示す説明図であり、（ａ）はディスク再生部が最も天井板から離れた状態を示す説明図であり、（ｂ）はディスク再生部が最も天井板に近づいた状態を示す説明図である。
【図１９】図７に示された離間溝拡縮機構のカム部材、回転部材及び移動部材をこれらの周方向に展開して示す展開図である。
【図２０】図１９に示されたカム部材の案内溝を一つのホルダの突起と相対させた状態を模式的に示す展開図である。
【図２１】図２０に示された状態からカム部材等を回転して、案内溝内に突起を挿入し始めた状態を模式的に示す展開図である。
【図２２】図２１に示された状態からカム部材等を更に回転して、案内溝のローディング部内に突起が位置した状態を模式的に示す展開図である。
【図２３】図２２に示された状態からカム部材等を更に回転して、案内溝のピックアップ侵入部内に突起が位置した状態を模式的に示す展開図である。
【図２４】図２３に示された状態からカム部材等を更に回転して、案内溝のクランプ部内に突起を位置付けた状態を模式的に示す展開図である。
【図２５】図２４に示された状態からカム部材等を更に回転して、案内溝の再生部内に突起を位置付けた状態を模式的に示す展開図である。
【図２６】図２５に示された下から２つ目のホルダの突起を案内溝の再生部内に位置付けた状態を模式的に示す展開図である。
【図２７】図２５に示された上から２つ目のホルダの突起を案内溝の再生部内に位置付けた状態を模式的に示す展開図である。
【図２８】図１９に示されたカム部材を第２壁に最も近づけた状態を模式的に示す展開図である。
【図２９】図２８に示されたカム部材の案内溝に一つのホルダの突起を相対させた状態を模式的に示す展開図である。
【図３０】図２９に示された状態からカム部材等を回転して、案内溝内に突起を挿入し始めた状態を模式的に示す展開図である。
【図３１】図３０に示された状態からカム部材等を更に回転して、案内溝のローディング部内に突起を位置付けた状態を模式的に示す展開図である。
【図３２】図３１に示された上から２つ目のホルダの突起を案内溝のローディング部内に位置付けた状態を模式的に示す展開図である。
【図３３】図３１に示された下から２つ目のホルダの突起を案内溝のローディング部内に位置付けた状態を模式的に示す展開図である。
【図３４】図１９に示された状態の連動移動機構を示す平面図である。
【図３５】図２０に示された状態の連動移動機構を示す平面図である。
【図３６】図２６に示された状態の連動移動機構を示す平面図である。
【図３７】図２７に示された状態の連動移動機構を示す平面図である。
【図３８】図２８に示された状態の連動移動機構を示す平面図である。
【図３９】図２９に示された状態の連動移動機構を示す平面図である。
【図４０】図３２に示された状態の連動移動機構を示す平面図である。
【図４１】図３３に示された状態の連動移動機構を示す平面図である。
【図４２】図２に示されたＣＤチェンジャのホルダと揺動ストッパを示す平面図である。
【図４３】図４２に示された揺動ストッパがＣＤを支える状態を示す平面図である。
【図４４】図４３に示された揺動ストッパがＣＤから退避した状態を示す平面図である。
【図４５】図２２に示された状態で、一方側ストッパが矢印Ｋ１側の他のＣＤを支える状態を示す説明図である。
【図４６】（ａ）は図４３に示された揺動ストッパが一つのＣＤを支える状態を示す説明図であり、（ｂ）は図４４に示された揺動ストッパが一つのＣＤから退避した状態を示す説明図である。
【図４７】図２２に示された状態で、他方側ストッパと補助ストッパが矢印Ｋ２側の他のＣＤを支える状態を示す説明図である。
【図４８】図３中最も下のＣＤを再生する際に、一方側ストッパが他のＣＤ全てを支える状態を示す説明図である。
【図４９】図３中最も上のＣＤを再生する際に、他方側ストッパと補助ストッパが他のＣＤ全てを支える状態を示す説明図である。
【図５０】（ａ）は図３０に示された状態で一方側ストッパが矢印Ｋ１側の他のＣＤ２を支える状態を示す説明図であり、（ｂ）は図３０に示された状態で昇降ストッパが矢印Ｋ２側の他のＣＤ２を支える状態を示す説明図である。
【図５１】図３中最も上のＣＤを出し入れする際に、昇降ストッパと他方側ストッパが他のＣＤ全てを支える状態を示す説明図である。
【図５２】図３中最も下のＣＤを出し入れする際に、昇降ストッパと一方側ストッパが他のＣＤ全てを支える状態を示す説明図である。
【符号の説明】
【００１２】
１  ＣＤチェンジャ（記録媒体再生装置）
２  ＣＤ（記録媒体）
３  機器本体
５  ディスク再生部（再生手段）
６  ディスク収容部（収容部）
７  分離機構（分離手段）
１０  挿入口
１１  底板（他方側の壁）
１９  ホルダ（保持部材）
６０  移動機構（移動手段）
１０１  天井板（一方側の壁）
１０３  一方側ストッパ
１０４  他方側ストッパ
１０５  揺動ストッパ
１０６  昇降ストッパ
１０７  補助ストッパ
Ｋ  ホルダ（保持部材）の配列方向
Ｋ１  一方
Ｋ２  他方
【発明を実施するための最良の形態】
【００１３】
以下、本発明の一実施形態にかかる記録媒体再生装置を説明する。本発明の一実施形態にかかる記録媒体再生装置は、一方側ストッパが情報を再生する一つの記録媒体より一方側の他の記録媒体を支え、他方側ストッパが情報を再生する一つの記録媒体より他方側の他の記録媒体を支え、揺動ストッパが情報を再生する一つの記録媒体を支える。こうすることで、一つの記録媒体の情報を再生する際に、ホルダから記録媒体が脱落することを防止できるようにしている。【００１４】
また、昇降ストッパが再生手段とともに移動するとともに、記録媒体を支える。こうすることで、複数の保持部材則ち記録媒体を配列方向に沿って移動させても、これらの複数の記録媒体を、前述した一方側ストッパ、他方側ストッパ及び昇降ストッパのうちいずれかで支えることができる。したがって、記録媒体の出し入れの際及び記録媒体を配列方向に沿って移動する際に、記録媒体が保持部材から脱落することを防止できる。【００１５】
また、記録媒体を保持するストッパを複数設けることで、移動手段による再生手段の移動を、ストッパなどが妨げることを防止している。【００１６】
また、本発明は、他方側ストッパとともに、情報を再生する一つの記録媒体より他方側の他の記録媒体を支える補助ストッパを設けても良い。
【実施例】
【００１７】
以下、本発明の一実施例にかかる記録媒体再生装置の一例としてのＣＤチェンジャ１を、図２ないし図５２に基づいて説明する。図２などに示すＣＤチェンジャ１は、自動車などの移動体に装備されて、記録媒体としてのＣＤ２（図３などに示す）を複数収容して、これらのＣＤ２から任意のＣＤ２に記録された情報を読み出（再生）して、音声として出力する装置である。本明細書に記したディスク形記録媒体即ちＣＤ２は、勿論、円板状即ちディスク状に形成されており、コンピュータなどの電子機器で読みとることのできる情報を記録した記録媒体である。【００１８】
ＣＤチェンジャ１は、図３に示すように、機器本体３（図２に示す）と、図示しない操作部と、ディスク搬送部４と、再生手段としてのディスク再生部５と、移動手段としての移動機構６０（図４に示す）と、収容部としてのディスク収容部６と、分離手段としての分離機構７と、ストッパ部１００（図１７に示す）を備えている。なお、以下、図３中の矢印ＸをＣＤチェンジャ１の幅方向と記し、矢印ＹをＣＤチェンジャ１の奥行き方向と記し、矢印ＺをＣＤチェンジャ１の厚み方向と記す。【００１９】
機器本体３は、板金からなる図２に示す外側ケース８と、板金などからなる図３などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。【００２０】
固定シャーシ９は、外側ケース８内に収容されているとともに、該外側ケース８に固定されている。固定シャーシ９は、図４に示すように、板状の底板１１と、この底板１１の外縁から立設した周板１２と、底板１１と間隔をあけて相対する天井板１０１（図１８に示す）を備えている。底板１１は、外側ケース８の図２中下側に位置する壁上に重ねられている。天井板１０１は、周板１２の底板１１から離れた側の縁に連なっている。天井板１０１は、底板１１と平行に配されている。天井板１０１は、本明細書に記した一方側則ち後述の矢印Ｋ１側の壁をなしている。底板１１は、本明細書に記した他方側則ち後述の矢印Ｋ２側の壁をなしている。【００２１】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。【００２２】
ディスク搬送部４は、機器本体３内に収容されており、図３に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に昇降自在に支持された移動シャーシ１６に固定されたロードフレーム１１０（図３などに示す）に取り付けられている。【００２３】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介して後述の駆動源としてのモータ４１により、軸芯周りに回転される。ローラ１４の外周
面にＣＤ２が接触し、ローラ１４がモータ４１により回転駆動されることで、ディスク搬送部４は、挿入口１０内にＣＤ２を通す。【００２４】
ディスク再生部５は、機器本体３内に収容されており、図４に示すように、移動シャーシ１６と、揺動シャーシ１７と、図示しないピックアップ再生部と、を備えている。移動シャーシ１６は、板金などからなり、枠状に形成されている。移動シャーシ１６は、ディスク収容部６のホルダ１９の配列方向（互いに重なる方向）Ｋ（図３などに矢印で示す）に沿って移動自在に、固定シャーシ９の周板１２などに支持されている。【００２５】
揺動シャーシ１７は、板金などからなり、帯板状に形成されている。揺動シャーシ１７は、一端部を中心として回動自在に移動シャーシ１６に支持されている。揺動シャーシ１７は、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。【００２６】
ピックアップ再生部は、揺動シャーシ１７にダンパやばねなどにより防振支持されたＣＲＧシャーシ上に設けられている。ピックアップ再生部は、ターンテーブルと、ピックアップ部などを備えている。ターンテーブルは、回転テーブルと、スピンドルモータと、複数のクランプ爪とを備えている。回転テーブルは、ＣＲＧシャーシの他端部に回転自在に支持されている。回転テーブルは、円板状に形成されており、表面上にＣＤ２が置かれる。【００２７】
スピンドルモータは、ＣＲＧシャーシの他端部と回転テーブルとの間に設けられている。スピンドルモータは、回転テーブルを回転する。クランプ爪は、回転テーブルの表面から突没自在に設けられている。クランプ爪は、回転テーブルの表面から突出すると、回転テーブル上のＣＤ２の中央孔内に突出して、回転テーブルとの間にＣＤ２を挟む。クランプ爪は、回転テーブルとの間に挟むことで、ＣＤ２をクランプする。【００２８】
ピックアップ部は、図４中に二点鎖線で示す光ピックアップ６６と、ピックアップ移動部とを備えている。光ピックアップ６６は、ターンテーブルに接離する方向に移動自在にＣＲＧシャーシに支持されている。光ピックアップ６６は、ターンテーブルに支持されたＣＤ２から情報を読み出す。即ち、光ピックアップ６６は、ホルダ１９に保持されていたＣＤ２を再生する。再生時、ＣＤ２は、ホルダ１９から厚み方向Ｚに退避する。ピックアップ移動部は、光ピックアップ６６をターンテーブルに接離させる。なお、接離とは、互いに近づいたり離れたりすることである。【００２９】
ディスク再生部５は、揺動シャーシ１７の他端部がＣＤ２間に侵入して、ターンテーブルのクランプ爪がＣＤ２をクランプするとともに、ターンテーブルの回転テーブルがＣＤ２を回転する。ディスク再生部５は、ピックアップ部の光ピックアップ６６が、ターンテーブルにより回転されたＣＤ２から情報を読み出す。また、ディスク再生部５は、後述するように矢印Ｋに沿って移動する。こうして、ディスク再生部５は、矢印Ｋに沿って移動するとともに、ホルダ１９に保持されたＣＤ２をクランプして再生する。【００３０】
移動機構６０は、図４などに示すように、第１のスライドシャーシ６１と、第２のスライドシャーシ６２と、揺動アーム６３と、保持シャーシ１０２（図１７に示す）とを備えている。第１のスライドシャーシ６１は、板金からなり、水平部６４と、鉛直片６５とを一体に備えている。水平部６４は、平板状に形成され、かつ固定シャーシ９の板状の底板１１上に重ねられている。【００３１】
水平部６４は、他端部が複数のＣＤ２間から抜け出た状態の揺動シャーシ１７の長手方向に沿ってスライド自在に前記底板１１に支持されている。水平部６４は、分離機構７の後述するモータ２０の駆動力により、他端部が複数のＣＤ２間から抜け出た状態の揺動シャーシ１７の長手方向に沿って移動する。鉛直片６５は、水平部６４の縁から上方即ち第２のスライドシャーシ６２に向かって延びている。【００３２】
第２のスライドシャーシ６２は、平板状に形成されている。第２のスライドシャーシ６２は、移動シャーシ１６と底板１１との間に配されているとともに、移動シャーシ１６に重ねられている。第２のスライドシャーシ６２は、他端部が複数のＣＤ２間から抜け出た状態の揺動シャーシ１７の長手方向に沿ってスライド自在に移動シャーシ１６に支持されている。【００３３】
また、第２のスライドシャーシ６２には、前述した鉛直片６５が係止している。このため、第２のスライドシャーシ６２は、鉛直片６５とともに、モータ２０の駆動力により、他端部が複数のＣＤ２間から抜け出た状態の揺動シャーシ１７の長手方向に沿って移動する。【００３４】
揺動アーム６３は、板金からなり、平板状に形成されている。揺動アーム６３の平面形状は、図４に示すように、略く字状に形成されている。揺動アーム６３は、前述した移動シャーシ１６に中央部を中心として回転自在に支持されている。揺動アーム６３は、一端部が前述した第２のスライドシャーシ６２に連結している。揺動アーム６３は、他端部が揺動シャーシ１７に回転自在に連結している。揺動アーム６３は、第２のスライドシャーシ６２が前述した長手方向に沿ってスライドすると、中央部を中心として回転して、揺動シャーシ１７の一端部を中心として、該揺動シャーシ１７を揺動させる。【００３５】
保持シャーシ１０２は、板金からなり、平板状に形成されている。保持シャーシ１０２は、第２のスライドシャーシ６２に重ねられており、移動シャーシ１６に取り付けられている。【００３６】
移動機構６０は、モータ２０の駆動力により、第１のスライドシャーシ６１と第２のスライドシャーシ６２を移動させるとともに、揺動アーム６３を回転して、一端部を中心として揺動シャーシ１７を揺動させる。移動機構６０は、一端部を中心として揺動シャーシ１７を揺動することで、ホルダ１９に保持されたＣＤ２の情報記録面と対向する位置に光ピックアップ６６則ちディスク再生部５を移動する。【００３７】
ディスク収容部６は、機器本体３内に収容されており、図４に示すように、第１壁としての移動シャーシ１８と、保持部材としての複数のホルダ１９を備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した矢印Ｋに沿って移動自在に固定シャーシ９の周板１２などに支持されている。【００３８】
ホルダ１９は、底板１１と移動シャーシ１８との双方と平行な状態で、固定シャーシ９に昇降自在に支持されている。複数のホルダ１９は、底板１１と移動シャーシ１８とが互いに重なる方向（前述した矢印Ｋ）に沿って、後述のホルダ本体８０が互いに重ねられている。【００３９】
ホルダ１９は、図１６などに示すように、ホルダ本体８０と、第１の係止部材８１と、第２の係止部材８２と、第３の係止部材８３とを備えている。ホルダ本体８０は、合成樹脂からなり、板状に形成されている。ホルダ本体８０は、保持部８４と、フランジ部８５とを一体に備えている。【００４０】
保持部８４は、平板状に形成されている。保持部８４の平面形状は、Ｃ字状（半環状、半リング状ともいう）に形成されている。このため、ホルダ本体８０の平面形状は、Ｃ字状に形成されている。また、保持部８４は、表面上にＣＤ２を位置付ける。このため、ホルダ本体８０は、表面上にＣＤ２を位置付ける。【００４１】
フランジ部８５は、保持部８４の外周側の外縁から立設しているとともに、該保持部８４の外周方向に延びている。このため、保持部８４上に位置付けられたＣＤ２は、フランジ部８５の縁部としての内縁８５ａと当接することで、保持部８４上に位置決めされる。このため、ホルダ１９は、保持したＣＤ２の外縁と当接する内縁８５ａを備えている。ホルダ本体８０は、保持部８４のＣ字状に形成された開口部が挿入口１０と相対する状態に配されている。【００４２】
第１の係止部材８１は、合成樹脂からなり、帯板状でかつアーム状に形成されている。第１の係止部材８１は、ホルダ本体８０の図１６中の左側に位置する一端部８０ａに位置するフランジ部８５にその長手方向の中央部８１ｃを中心として回転自在に支持されている。このため、第１の係止部材８１は、ホルダ本体８０の一端部８０ａに回転自在に設けられている。【００４３】
第１の係止部材８１は、図１６中手前側（ホルダ本体８０の端側）に位置する一端部８１ａに係止部としての係止爪８６を設けている。第１の係止部材８１は、係止爪８６がフランジ部８５の内縁から保持部８４上に突出する図１６に示す係止位置と、係止爪８６がフランジ部８５の内縁に没して保持部８４上から退避する図示しない非係止位置とに亘って、回転自在である。【００４４】
また、第１の係止部材８１は、ホルダ本体８０に、係止位置と非係止位置とに亘る回転が許容されているとともに、前記係止位置と非係止位置を越えて回転することが規制されている。係止爪８６は、前述した係止位置で前記保持部８４即ちホルダ本体８０との間にＣＤ２の外縁部を位置付けて、該ＣＤ２の外縁部に係止する。このため、第１の係止部材８１は、ホルダ本体８０の保持部８４上に位置付けられるＣＤ２の外縁部に係止する。【００４５】
第２の係止部材８２は、合成樹脂からなり、帯板状でかつアーム状に形成されている。第２の係止部材８２は、ホルダ本体８０の図１６中の右側に位置する他端部８０ｂに位置するフランジ部８５にその長手方向の中央部８２ｃを中心として回転及びスライド自在に支持されている。このため、第２の係止部材８２は、ホルダ本体８０の他端部８０ｂに回転及びスライド自在に設けられている。【００４６】
第２の係止部材８２は、図１６中手前側（ホルダ本体８０の端側）に位置する一端部８２ａに係止部としての係止爪８７を設けている。第２の係止部材８２は、係止爪８７がフランジ部８５の内縁から保持部８４上に突出する図１６に示す係止位置と、係止爪８７がフランジ部８５の内縁に没して保持部８４上から退避する図示しない非係止位置とに亘って、回転及びスライド自在である。【００４７】
また、第２の係止部材８２は、ホルダ本体８０に、係止位置と非係止位置とに亘る回転が許容されているとともに、前記係止位置と非係止位置を越えて回転することが規制されている。係止爪８７は、前述した係止位置で前記保持部８４即ちホルダ本体８０との間にＣＤ２の外縁部を位置付けて、該ＣＤ２の外縁部に係止する。このため、第２の係止部材８２は、ホルダ本体８０の保持部８４上に位置付けられるＣＤ２の外縁部に係止する。【００４８】
さらに、第２の係止部材８２は、ホルダ本体８０のフランジ部８５に取り付けられたね
じりコイルばね８８により、前記係止爪８７がフランジ部８５の内縁から保持部８４上に突出する方向即ち係止位置に向かって付勢されている。すなわち、第２の係止部材８２は、係止爪８７がホルダ本体８０上のＣＤ２の外縁部に係止する（保持部８４の内側に向かう）方向に付勢されている。【００４９】
第３の係止部材８３は、合成樹脂からなり、帯板状でかつアーム状に形成されている。第３の係止部材８３は、ホルダ本体８０の前述した一端部８０ａと他端部８０ｂとの間の中央部８０ｃに位置するフランジ部８５にその長手方向の中央部８３ｃを中心として回転自在に支持されている。このため、第３の係止部材８３は、ホルダ本体８０の一端部８０ａと他端部８０ｂとの間に回転自在に設けられている。【００５０】
第３の係止部材８３は、図１６中奥側（ホルダ本体８０の中央側）に位置する一端部８３ａに係止部としての係止爪８９を設けている。第３の係止部材８３は、係止爪８９がフランジ部８５の内縁から保持部８４上に突出する図１６に示す係止位置と、係止爪８９がフランジ部８５の内縁に没して保持部８４上から退避する図示しない非係止位置とに亘って、回転自在である。【００５１】
また、第３の係止部材８３は、ホルダ本体８０に、係止位置と非係止位置とに亘る回転が許容されているとともに、前記係止位置と非係止位置を越えて回転することが規制されている。係止爪８９は、前述した係止位置で前記保持部８４即ちホルダ本体８０との間にＣＤ２の外縁部を位置付けて、該ＣＤ２の外縁部に係止する。このため、第３の係止部材８３は、ホルダ本体８０の保持部８４上に位置付けられるＣＤ２の外縁部に係止する。【００５２】
さらに、第３の係止部材８３の他端部８３ｂは、第１の係止部材８１の他端部８１ｂより保持部８４寄り即ちホルダ本体８０の内側に配されているとともに、前記第１の係止部材８１の他端部８１ｂに当接する。また、第３の係止部材８３は、ホルダ本体８０のフランジ部８５に取り付けられたねじりコイルばね９０により、前記係止爪８９がフランジ部８５の内縁から保持部８４上に突出する方向即ち係止位置に向かって付勢されている。すなわち、第３の係止部材８３は、係止爪８９がホルダ本体８０上のＣＤ２の外縁部に係止する（保持部８４の内側に向かう）方向に付勢されている。【００５３】
また、第３の係止部材８３の他端部８３ｂが第１の係止部材８１の他端部８１ｂよりホルダ本体８０の内側に位置しかつ第１の係止部材８１の他端部８１ｂに当接しているので、前述したねじりコイルばね９０は、第１の係止部材８１を前記係止爪８６がフランジ部８５の内縁から保持部８４上に突出する方向即ち係止位置に向かって付勢している。このため、第１の係止部材８１は、係止爪８６がホルダ本体８０上のＣＤ２の外縁部に係止する（保持部８４の内側に向かう）方向に付勢されている。【００５４】
さらに、第１の係止部材８１と、第３の係止部材８３は、同一のねじりコイルばね９０により付勢されている。このため、第３の係止部材８３と、第１の係止部材８１と第２の係止部材８２とのうち一方とは、同一のねじりコイルばね９０により付勢されている。【００５５】
ホルダ１９は、挿入口１０を通して機器本体３に挿入されたＣＤ２がホルダ本体８０の開口部を通して内側に侵入して保持部８４上に位置し、係止爪８６，８７，８９がＣＤ２の外縁部に係止することで、このＣＤ２を保持する。複数のホルダ１９は、各々が保持するＣＤ２の表面が互いに平行になるように、互いに重ねられて配されている。ホルダ１９は、前記矢印Ｋに沿って昇降自在に固定シャーシ９などに支持されている。各々のホルダ１９のホルダ本体８０には、外方向に向かって突出した突起２９（図１６ないし図２５に示す）が設けられている。ディスク収容部６は、ＣＤ２を保持可能な複数のホルダ１９を積層配列して収容する。【００５６】
分離機構７は、機器本体３内に収容されており、モータ２０（図４に示す）と、離間溝拡縮機構２１（図７ないし図１１に示す）と、連動移動機構２２（図３４ないし図４１に示す）とを備えている。モータ２０は、図４に示すように、固定シャーシ９に固定されている。【００５７】
離間溝拡縮機構２１は、図６に示すように、３つ設けられており、機器本体３の隅部に設けられている。離間溝拡縮機構２１は、図７ないし図１５に示すように、円柱状に形成されており、回転部材２５と、移動部材２６と、カム部材２４とを備えている。【００５８】
回転部材２５は、図１３ないし図１５に示すように、互いに同軸に配された円板部６８と、円柱部６９とを一体に備えている。円板部６８は、円板状に形成され、固定シャーシ９の底板１１に軸芯周りに回転自在に支持されている。円柱部６９は、円柱状に形成されており、円板部６８から立設している。【００５９】
回転部材２５の軸芯は、前述した矢印Ｋと平行に配されている。回転部材２５は、円板部６８の外縁部に設けられた歯が底板１１に回転自在に設けられた複数の歯車６７に噛み合っている。回転部材２５は、歯車６７を介してモータ２０のピニオンと接続されたカム６７ｂ上のカム６７ａにより、モータ２０の駆動力により軸芯周りに回転される。回転部材２５がモータ２０の駆動力により軸芯周りに回転されることは、本明細書に記した回転部材２５がモータ２０の駆動力により移動されることを示している。回転部材２５は、移動部材２６とカム部材２４の各々を同軸的に配するとともに、移動部材２６とカム部材２４の各々を回転させる。【００６０】
移動部材２６は、図１２ないし図１５に示すように、円管状に形成されており、回転部材２５の外周に取り付けられてこの回転部材２５と同軸に配されている。移動部材２６と回転部材２５とは、回転部材２５に設けられた突起７０と、移動部材２６に設けられたキー溝とからなるキーにより互いに取り付けられている。移動部材２６は、前述した矢印Ｋに沿って移動自在に回転部材２５に取り付けられている。移動部材２６は、カム部材２４とは独立して、矢印Ｋに沿って、移動可能である。さらに、移動部材２６の底板１１から離れた側の縁（上端）には、係止溝７１が設けられている。また、移動部材２６は、前述した回転部材２５と一体に（連動して）前述した軸芯周りに回転する。【００６１】
また、移動部材２６は、図７、図１９ないし図３３に示すように、第１壁としての移動シャーシ１８に取り付けられているとともに、第２壁２７ｂが設けられている。移動シャーシ１８と第２壁２７ｂは、移動部材２６の軸芯方向の両縁に設けられており、矢印Ｋと平行な軸芯に沿って互いに常に一定の間隔をあけて配されている。移動シャーシ１８と第２壁２７ｂは、移動部材２６の両縁から外周方向に突出している。【００６２】
移動部材２６は、固定シャーシ９の底板１１から離れた側の縁に設けられた係止溝７１により移動シャーシ１８に取り付けられている。このことを、本発明では、第１壁としての移動シャーシ１８は、移動部材２６の上端に設けられているという。このため、移動部材２６は、移動シャーシ１８と一体に（連動して）矢印Ｋに沿って移動する。また、移動シャーシ１８は、移動部材２６などが軸芯周りに回転することを許容する（妨げない）。移動シャーシ１８は、前述した矢印Ｋに対し直交する方向に沿った平板状に形成されている。【００６３】
第２壁２７ａ，２７ｂは、回転部材２５と移動部材２６とに亘って設けられている。回転部材２５では、第２壁２７ａは、図１２ないし図１５に示すように、円板部６８の外縁から立設しており、断面形状が回転部材２５の軸芯を中心とした円弧状に形成されている。このため、第２壁２７ａは、円板部６８の外周に配されている。【００６４】
移動部材２６では、第２壁２７ｂは、図１２ないし図１５に示すように、固定シャーシ９の底板１１寄りの縁（即ち、移動部材２６の下端）に設けられている。第２壁２７ｂは、移動部材２６の外周に配され、移動部材２６と同軸に配されている。第２壁２７ａ，２７ｂは、回転部材２５と移動部材２６とに亘って、面一に形成されている。第２壁２７ａ，２７ｂは、移動部材２６から回転部材２５に向かうにしたがって、移動シャーシ１８から徐々に離れる方向に、前述した矢印Ｋとこの矢印Ｋに対し直交する方向との双方に交差した方向に延びている。【００６５】
また、前述した移動シャーシ１８と第２壁２７ａ，２７ｂとの間において、矢印Ｋに沿って互いの間にカム部材２４の後述のくさび部３０が位置付けられていない部分では、前述した移動シャーシ１８と第２壁２７ａ，２７ｂとの間隔は、ホルダ１９の数と突起２９の矢印Ｋ方向の溝幅との積に等しい又は略等しい。【００６６】
回転部材２５と移動部材２６は、前述した移動シャーシ１８と第２壁２７ａ，２７ｂとの間に、突起２９を位置付けて、前述したホルダ１９を保持する。また、回転部材２５と移動部材２６は、軸芯周りに回転することで、前述した移動シャーシ１８と第２壁２７ａ，２７ｂとの間で突起２９が後述の連結壁２８から接離するように矢印Ｋに対し交差する方向に沿って移動することを許容する。このため、カム部材２４と回転部材２５と移動部材２６は、モータ２０の駆動力により、後述の離間溝３９，４０の奥に向かって突起２９が侵入する方向に移動される。さらに、カム部材２４と回転部材２５と移動部材２６は、後述の収容位置で、すべてのホルダ１９の突起２９を、移動シャーシ１８と第２壁２７ａ，２７ｂとの間に位置付ける。【００６７】
カム部材２４は、図１２ないし図１５に示すように、円管状に形成されており、移動部材２６の外周に取り付けられて、回転部材２５及び移動部材２６等と同軸に配されている。カム部材２４と移動部材２６とは、カム部材２４に設けられた突起７２と、移動部材２６に設けられた突起とからなるキーにより互いに取り付けられている。カム部材２４は、前述した矢印Ｋに沿って移動自在に移動部材２６に取り付けられている。また、カム部材２４は、前述した回転部材２５及び移動部材２６と一体（連動して）に前述した軸芯周りに回転する。【００６８】
さらに、カム部材２４の底板１１から離れた側の縁に係止溝７３が設けられている。カム部材２４の係止溝７３には、ディスク再生部５の移動シャーシ１６が係止して、取り付けられている。このため、カム部材２４は、移動シャーシ１６即ち前述した光ピックアップ６６と一体に（連動して）矢印Ｋに沿って移動する。このため、カム部材２４は、矢印Ｋに沿って、移動可能である。また、移動シャーシ１６は、カム部材２４などが軸芯周りに回転することを許容する（妨げない）。【００６９】
さらに、カム部材２４は、くさび部３０と、案内溝３１と、連結壁２８とを備えている。くさび部３０は、前述した移動シャーシ１８と、第２壁２７との間に位置しているとともに、連結壁２８と間隔をあけて配されている。このため、カム部材２４のくさび部３０は、前述した移動シャーシ１８と第２壁２７との間を矢印Ｋに沿って移動する。くさび部３０は、移動部材２６に向かうにしたがって、矢印Ｋに沿う溝幅が徐々に細くなるように形成されている。【００７０】
案内溝３１は、くさび部３０に設けられている。案内溝３１は、カム部材２４のくさび部３０の外周面に形成されている。即ち、案内溝３１は、カム部材２４のくさび部３０の外周面から凹に形成されている。案内溝３１の矢印Ｋに沿う溝幅は、一つの突起２９の矢
印Ｋに沿う幅と略等しい。案内溝３１は、図１９ないし図３３に示すように、連結壁２８に相対する開口部３２と、ローディング部３３と、ピックアップ侵入部３４と、第１連結部３５と、クランプ部３６と、第２連結部３７と、再生部３８とを備えている。ローディング部３３と、ピックアップ侵入部３４と、クランプ部３６と、再生部３８とは、矢印Ｋに対し直交する方向に沿って延びている。第１連結部３５と、第２連結部３７とは、矢印Ｋとこの矢印Ｋに対し直交する方向との双方に対し交差する方向に沿って延びている。【００７１】
ローディング部３３は、開口部３２に連なり、この開口部３２の連結壁２８から離れた側に配されている。ピックアップ侵入部３４は、ローディング部３３に連なり、このローディング部３３の連結壁２８から離れた側に配されている。さらに、ピックアップ侵入部３４は、ローディング部３３より回転部材２５の第２壁２７から離れた側に配されている。【００７２】
第１連結部３５は、ピックアップ侵入部３４に連なり、このピックアップ侵入部３４の連結壁２８から離れた側に配されている。第１連結部３５は、ピックアップ侵入部３４から離れるのにしたがって徐々に回転部材２５の第２壁２７に近づく方向に延びている。クランプ部３６は、第１連結部３５に連なり、この第１連結部３５の連結壁２８から離れた側に配されている。第２連結部３７は、クランプ部３６に連なり、このクランプ部３６の連結壁２８から離れた側に配されている。第２連結部３７は、クランプ部３６から離れるのにしたがって徐々に回転部材２５の第２壁２７に近づく方向に延びている。再生部３８は、第２連結部３７に連なり、この第２連結部３７の連結壁２８から離れた側に配されている。【００７３】
案内溝３１は、開口部３２を通して、突起２９が侵入することを許容する。即ち、案内溝３１内には、突起２９即ちホルダ１９が摺動可能である。さらに、案内溝３１は、ローディング部３３と、ピックアップ侵入部３４と、第１連結部３５と、クランプ部３６と、第２連結部３７と、再生部３８内に順に突起２９が移動することを許容する。【００７４】
ローディング部３３内に位置付けられた突起２９を設けたホルダ１９は、挿入口１０と矢印Ｙに沿って相対する。そして、ローディング部３３内に位置付けられた突起２９を設けたホルダ１９は、挿入口１０を通して挿入されたＣＤ２を保持できるとともに、挿入口１０を通して保持したＣＤ２を機器本体３外に排出できる。【００７５】
ピックアップ侵入部３４内に位置付けられた突起２９を設けたホルダ１９は、図３中下方に位置する他のホルダ１９から離れて、この図中下方に位置するホルダ１９との間に揺動シャーシ１７の他端部即ちピックアップ再生部が侵入することを許容する。クランプ部３６内に位置付けられた突起２９を設けたホルダ１９は、保持したＣＤ２をディスク再生部５のターンテーブルがクランプすることを許容する。再生部３８内に位置付けられた突起２９を設けたホルダ１９は、ターンテーブルにクランプされたＣＤ２から離されて、ターンテーブルにより回転されるＣＤ２に干渉（接触）しない。即ち、ＣＤ２が回転することを許容する。【００７６】
連結壁２８は、前述した矢印Ｋに沿って直線状に延びている。連結壁２８は、くさび部３０に設けられた案内溝３１の開口部３２と矢印Ｋに対し直交する方向に沿って、間隔をあけて相対している。連結壁２８は、移動シャーシ１８と第２壁２７とを互いに連結する格好になっている。【００７７】
こうして、カム部材２４は、一つのＣＤ２を保持するホルダ１９の突起２９が摺動可能に係合する案内溝３１を有している。【００７８】
前述した構成の回転部材２５と、移動部材２６と、カム部材２４とは、図１２に示すように、互いに同軸に配されている。また、移動部材２６と、カム部材２４とは、図１２ないし図１４に示すように、互いに独立して、矢印Ｋに沿って移動可能である。【００７９】
また、前述した移動シャーシ１８とカム部材２４のくさび部３０との間は、本明細書に記した第１離間溝３９をなしている。第１離間溝３９は、移動シャーシ１８と、カム部材２４のくさび部３０の底板１１から離れた側の上面部とで構成されている。第１離間溝３９は、案内溝３１に係合する一つのＣＤ２を保持するホルダ１９より上方（矢印Ｋ１側）に位置する他のホルダ１９と係合する。【００８０】
さらに、前述した第２壁２７とカム部材２４のくさび部３０との間は、本明細書に記した第２離間溝４０をなしている。第２離間溝４０は、第２壁２７とカム部材２４のくさび部３０の底板１１寄りの下面部とで構成されている。第２離間溝４０は、案内溝３１に係合する一つのＣＤ２を保持するホルダ１９より下方（矢印Ｋ２側）に位置する他のホルダ１９と係合する。【００８１】
第１離間溝３９と第２離間溝４０は、案内溝３１に係合する一つのＣＤ２を保持するホルダ１９の他のホルダ１９の突起２９が侵入することを許容する（他のホルダ１９が係合する）。第１離間溝３９と第２離間溝４０は、本明細書に記した離間溝をなしている。第１離間溝３９と第２離間溝４０即ち離間溝は、一つのＣＤ２を保持するホルダ１９の他のホルダ１９が摺動可能に係合するとともに、カム部材２４と移動部材２６との相対的な移動により形成される。【００８２】
第１離間溝３９と第２離間溝４０とは、カム部材２４と移動部材との相対的に矢印Ｋに沿って移動することで、互いに連動して矢印Ｋに沿った溝幅が可変する（拡がったり狭くなる）。カム部材２４が矢印Ｋに沿ってスライドした際に、第１離間溝３９の溝幅が拡がると第２離間溝４０の溝幅が狭くなり、第２離間溝４０の溝幅が拡がると第１離間溝３９の溝幅が狭くなる。【００８３】
また、第１離間溝３９の溝幅と第２離間溝４０の溝幅との和は、ホルダ１９の数から１を引いて得られる数と一つの突起２９の矢印Ｋ方向の幅との積に等しい又は略等しい。前述した第１及び第２離間溝３９，４０即ち離間溝は、カム部材２４と移動部材２６との相対的な移動により矢印Ｋに沿った溝幅が可変する。即ち、第１及び第２離間溝３９，４０は、カム部材２４と移動部材２６との相対的な移動により矢印Ｋに沿った溝幅が相対的に可変する。【００８４】
前述した構成によれば、移動シャーシ１８と第２壁２７との間に位置付けられたすべてのホルダ１９の突起２９は、モータ２０の駆動力が複数の歯車６７を介して伝達されて、回転部材２５と移動部材２６とカム部材２４とが一体に（連動して）回転（移動）することで、一つの突起２９が案内溝３１内に侵入する。残りの突起２９のうち案内溝３１に侵入した突起２９より矢印Ｋ１（図７などに示す）側に位置するホルダ１９の突起２９が第１離間溝３９内に侵入し、案内溝３１に侵入した突起２９より矢印Ｋ２（図７などに示す）側に位置するホルダ１９の突起２９が第２離間溝４０内に侵入する。なお、矢印Ｋ１は、前述した矢印Ｋの一方側をなしているとともに、矢印Ｋ２は、前述した矢印Ｋの他方側をなしている。【００８５】
すべてのホルダ１９の突起２９が、案内溝３１に侵入することなく連結壁２８に近づいて移動シャーシ１８と第２壁２７との間に位置する状態は、本明細書では、ホルダ１９が収容位置に位置するという。また、カム部材２４のくさび部３０が連結壁２８と間隔をあけているため、収容位置では、第１離間溝３９と第２離間溝４０とは、一体になっている。したがって、収容位置では、複数のホルダ１９が互いに近接する。【００８６】
突起２９が、案内溝３１の再生部３８内と、第１及び第２離間溝３９，４０の奥に侵入する状態は、本明細書では、ホルダ１９が再生位置に位置するという。再生位置では、カム部材２４のくさび部３０により、前記案内溝３１内に突起２９が侵入したホルダ１９は、収容位置より他のホルダ１９から離れる。再生位置では、情報を再生するＣＤ２を保持したホルダ１９が他のホルダ１９から離れるとともに、情報を再生するＣＤ２を保持したホルダ１９と他のホルダ１９との間に光ピックアップ６６が侵入可能になる。【００８７】
突起２９が、移動部材２６の第２壁２７と移動シャーシ１８との間に位置し、案内溝３１のローディング部３３内と、第１及び第２離間溝３９，４０に侵入した状態は、本明細書では、ホルダ１９がローディング位置に位置するという。【００８８】
また、前述した再生位置では、第１離間溝３９内に情報を再生するＣＤ２を保持したホルダ１９の矢印Ｋ１側のホルダ１９の突起２９が侵入する。第１離間溝３９は、前記矢印Ｋ１側のホルダ１９を、情報を再生するＣＤ２を保持したホルダ１９から離す。【００８９】
さらに、再生位置とローディング位置では、第２離間溝４０内に情報を再生するＣＤ２を保持したホルダ１９の矢印Ｋ２側のホルダ１９の突起２９が侵入する。第２離間溝４０は、前記矢印Ｋ２側のホルダ１９を、情報を再生するＣＤ２を保持したホルダ１９から離す。【００９０】
連動移動機構２２は、図３４などに示すように、駆動源としてのモータ４１（図４に示す）と、駆動シャーシ４２（図４及び図５に示す）と、第２駆動シャーシ５３（図４及び図５に示す）と、第１突起４３と、第１孔４４と、第２突起４５と、第２孔４６とを備えている。なお、図４には、駆動シャーシ４２と第２駆動シャーシ５３を２つずつ示しているが、実際には、駆動シャーシ４２と第２駆動シャーシ５３は一つずつ設けられている。【００９１】
連動移動機構２２は、ディスク収容部６のホルダ１９を収容位置と再生位置とに亘って移動させる際には、移動部材２６を、回転部材２５に対し矢印Ｋに沿って移動して、回転部材２５から最も遠ざけておく。そして、連動移動機構２２は、再生位置に位置付けるＣＤ２を保持したホルダ１９の突起２９が案内溝３１に侵入できる位置に、カム部材２４を位置付ける。【００９２】
連動移動機構２２は、ディスク収容部６のホルダ１９を再生位置とローディング位置とに亘って移動させる即ちＣＤ２を機器本体３内に出し入れする際には、カム部材２４を、移動部材２６に対し矢印Ｋに沿って移動して、回転部材２５に最も近づけておく。そして、連動移動機構２２は、ローディング位置に位置付けられた即ち出し入れされたＣＤ２を保持するホルダ１９の突起２９が案内溝３１に侵入できる位置に、移動部材２６を位置付ける。連動移動機構２２は、駆動源としてのモータ４１の駆動力により、前述したように、カム部材２４即ちディスク再生部５の移動シャーシ１６と、移動部材２６即ちディスク収容部６の移動シャーシ１８とを連動して、矢印Ｋに沿って移動する。【００９３】
モータ４１は、固定シャーシ９の底板１１などに取り付けられている。駆動シャーシ４２は、板金からなり、板状に形成されている。駆動シャーシ４２の平面形状は、矩形状に形成されている。駆動シャーシ４２は、機器本体３の固定シャーシ９の周板１２に、矢印Ｋに対し直交（交差）する方向に沿って移動自在に支持されている。【００９４】
第２駆動シャーシ５３は、板金からなり、板状に形成されている。第２駆動シャーシ５３の平面形状は、矩形状に形成されている。第２駆動シャーシ５３は、機器本体３の固定シャーシ９の周板１２に、矢印Ｋに対し直交（交差）する方向に沿って移動自在に支持されている。第２駆動シャーシ５３には、モータ４１の駆動力により回転される歯車４８と噛み合ったラック４７が形成されている。【００９５】
第１突起４３は、ディスク収容部６の移動シャーシ１８から駆動シャーシ４２と第２駆動シャーシ５３に向かって突出している。第１孔４４は、駆動シャーシ４２と第２駆動シャーシ５３に設けられている。勿論、第１孔４４は、駆動シャーシ４２と第２駆動シャーシ５３を貫通している。第１孔４４には、図５に示すように、第１突起４３が侵入する。【００９６】
第１孔４４は、図３４ないし図４１に示すように、第１平行部４９と第１傾斜部５０とを備えている。第１平行部４９は、前述した矢印Ｋに対し直交する方向に沿って直線状に延びている。第１傾斜部５０は、第１平行部４９の端に連なりかつ前述した矢印Ｋと該矢印Ｋに対し直交する方向との双方に対し交差する方向に沿って直線状に延びている。第１傾斜部５０は、第１平行部４９から離れるにしたがって徐々に固定シャーシ９の底板１１に近づく方向に傾斜している。【００９７】
第２突起４５は、ディスク再生部５の移動シャーシ１６から駆動シャーシ４２に向かって突出している。第２孔４６は、駆動シャーシ４２に設けられている。勿論、第２孔４６は、駆動シャーシ４２を貫通している。第２孔４６には、第２突起４５が侵入する。【００９８】
第２孔４６は、第２傾斜部５１と第２平行部５２とを備えている、第２傾斜部５１は、前述した矢印Ｋと該矢印Ｋに対し直交する方向との双方に対し交差する方向に沿って直線状に延びている。第２傾斜部５１は、第２平行部５２から離れるにしたがって、徐々に固定シャーシ９の底板１１から離れる方向に傾斜している。第２傾斜部５１は、第１傾斜部５０と平行である。第２平行部５２は、第２傾斜部５１の端に連なりかつ前述した矢印Ｋに対し直交する方向に沿って直線状に延びている。【００９９】
第１突起４３が第１傾斜部５０内に位置付けられると、第２突起４５が第２平行部５２内に位置付けられる。第１突起４３が第１平行部４９内に位置付けられると、第２突起４５が第２傾斜部５１内に位置付けられる。【０１００】
前述した連動移動機構２２は、駆動源としてのモータ４１の駆動力により、第２駆動シャーシ５３を矢印Ｋに対し直交する方向に沿って移動する。第２駆動シャーシ５３の動きに連動して、図４に示すリンクアーム１１１により第２駆動シャーシ５３と連結された駆動シャーシ４２は矢印Ｋに対し直交する方向に沿って移動する。【０１０１】
このため、連動移動機構２２即ち分離機構７は、カム部材２４と移動部材２６との各々を矢印Ｋに沿って駆動（移動）する単一の駆動源としてのモータ４１を備えている。【０１０２】
連動移動機構２２は、駆動源としてのモータ４１の駆動力により、ホルダ１９をローディング位置に位置付ける際即ちＣＤ２を機器本体３内に出し入れする際には、第２突起４５が第２平行部５２内を移動し、第１突起４３が第１傾斜部５０内を移動する位置に駆動シャーシ４２を位置付ける。前述した連動移動機構２２は、駆動源としてのモータ４１の駆動力により、ホルダ１９を再生位置と収容位置とに亘って移動する際には、第２突起４５が第２傾斜部５１内を移動し、第１突起４３が第１平行部４９内を移動する位置に駆動シャーシ４２を位置付ける。【０１０３】
なお、連動移動機構２２により、第２突起４５が第２平行部５２内に位置付けられると、カム部材２４が最も回転部材２５の第２壁２７に近づく。最も回転部材２５の第２壁２７ａに近づいたカム部材２４の案内溝３１のローディング部３３内に突起２９が位置付けられたホルダ１９は、前述した挿入口１０を通して出し入れされるＣＤ２を保持できる位置に位置付けられる。【０１０４】
ストッパ部１００は、図１７に示すように、一方側ストッパ１０３と、他方側ストッパ１０４と、揺動ストッパ１０５と、昇降ストッパ１０６と、補助ストッパ１０７を備えている。一方側ストッパ１０３は、合成樹脂からなり、板状に形成されている。一方側ストッパ１０３は、挿入口１０と、ホルダ１９との間に配されている。さらに、一方側ストッパ１０３は、ホルダ１９に保持されるＣＤ２を挟んで、このホルダ１９と相対する位置に配されている。【０１０５】
一方側ストッパ１０３は、図１８に示すように、一端部が保持シャーシ１０２に回転自在に支持されているとともに、他端部が天井板１０１にスライド自在に支持されている。このため、一方側ストッパ１０３は、天井板１０１に取り付けられている。また、一方側ストッパ１０３は、移動シャーシ１６則ちディスク再生部５の光ピックアップ６６などが矢印Ｋに沿って移動すると、図１８（ａ）に示された状態と図１８（ｂ）に示された状態とに亘って変位する。【０１０６】
図１８（ａ）に示された状態では、移動シャーシ１６則ちディスク再生部５が最も天井板１０１から離れており、一方側ストッパ１０３は、矢印Ｋと、移動シャーシ１６及び天井板１０１の表面との双方に対し傾斜している。図１８（ｂ）に示された状態では、移動シャーシ１６則ちディスク再生部５が最も天井板１０１に近づいており、一方側ストッパ１０３は、移動シャーシ１６及び天井板１０１の表面と平行になっている。【０１０７】
前述した構成の一方側ストッパ１０３は、ディスク再生部５が複数のホルダ１９間に侵入して、一つのホルダ１９に保持された一つのＣＤ２をクランプして再生する際に、この一つのＣＤ２より矢印Ｋ１側の他のＣＤ２の外縁と近接又は接触する。そして、一方側ストッパ１０３は、矢印Ｋ１側の他のＣＤ２を支える。【０１０８】
また、一方側ストッパ１０３は、挿入口１０を通してＣＤ２を出し入れする際及びＣＤ２を再生するためにディスク再生部５を矢印Ｋに沿って移動する際に、昇降ストッパ１０６などととともに、ホルダ１９に保持されたＣＤ２の外縁に近接又は接触する。そして、一方側ストッパ１０３は、近接又は接触したＣＤ２を支える。【０１０９】
他方側ストッパ１０４は、合成樹脂からなり、板状に形成されている。他方側ストッパ１０４は、挿入口１０と、ホルダ１９との間に配されている。さらに、他方側ストッパ１０４は、ホルダ１９に保持されるＣＤ２を挟んで、このホルダ１９と相対する位置に配されている。他方側ストッパ１０４は、固定シャーシ９の底板１１に取り付けられており、この底板１１から立設している。【０１１０】
前述した構成の他方側ストッパ１０４は、ディスク再生部５が複数のホルダ１９間に侵入して、一つのホルダ１９に保持された一つのＣＤ２をクランプして再生する際に、この一つのＣＤ２より矢印Ｋ２側の他のＣＤ２の外縁と近接又は接触する。そして、他方側ストッパ１０４は、矢印Ｋ２側の他のＣＤ２を支える。【０１１１】
また、他方側ストッパ１０４は、挿入口１０を通してＣＤ２を出し入れする際及びＣＤ２を再生するためにディスク再生部５を矢印Ｋに沿って移動する際に、昇降ストッパ１０６などととともに、ホルダ１９に保持されたＣＤ２の外縁に近接又は接触する。そして、他方側ストッパ１０４は、近接又は接触したＣＤ２を支える。【０１１２】
揺動ストッパ１０５は、図４２に示すように、挿入口１０と、ホルダ１９との間に配さ
れている。さらに、揺動ストッパ１０５は、ホルダ１９に保持されるＣＤ２を挟んで、このホルダ１９と相対する位置に配されている。揺動ストッパ１０５は、図４２に示すように、アーム本体９２と、当接部９３と、付勢手段としてのコイルばね９５と、を備えている。【０１１３】
アーム本体９２は、アーム（棒）状に形成されており、前述した保持シャーシ１０２にその長手方向の中央部を中心として矢印Ｃ（図４２に示す）に沿って回転自在に支持されている。このため、アーム本体９２即ち揺動ストッパ１０５は、ディスク再生部５則ち揺動シャーシ１７及びピックアップ再生部などと矢印Ｋに沿って、機器本体３即ち固定シャーシ９に対し移動する。【０１１４】
アーム本体９２は、揺動シャーシ１７が複数のＣＤ２即ちホルダ１９間から退避した状態で、挿入口１０寄りの一端部９２ａが挿入口１０を通して機器本体３内に挿入されたＣＤ２の外縁部と当接できる位置（図４２に示す）と、ＣＤ２を挿入する際にＣＤ２の侵入を妨げないようにＣＤ２によって拡げられる位置と、に亘って回転自在になっている。また、アーム本体９２は、前述した図４２に示す位置と前述した突出した位置とから越えて回転することが前述した第２のスライドシャーシ６２などに規制されている。【０１１５】
当接部９３は、アーム本体９２の前述した一端部９２ａに設けられている。当接部９３は、挿入口１０を通して機器本体３内に挿入されたＣＤ２が当接する。また、当接部９３は、ディスク再生部５が複数のホルダ１９間に侵入して、一つのホルダ１９に保持された一つのＣＤ２をクランプして再生する際に、ディスク再生部５がクランプするまではこの一つのＣＤ２の外縁と近接又は接触する。そして、当接部９３則ち揺動ストッパ１０５は、図４３に示すように、ディスク再生部５がクランプするまでは前述した一つのＣＤ２を支える。また、揺動ストッパ１０５は、ディスク再生部５が前述した一つのＣＤ２をクランプすると、図４４に示すように、第２のスライドシャーシ６２が移動するに連動して移動するロードフレーム１１０に取り付けられたレバーのカムにより駆動され、前述した当接部９３がＣＤ２の外縁から離れる方向に回転する。こうして、揺動ストッパ１０５は、ディスク再生部５が再生する一つのＣＤ２をディスク再生部５がクランプするまで支え、ディスク再生部５が一つのＣＤ２をクランプすると、この一つのＣＤ２から退避する。【０１１６】
コイルばね９５は、一端が保持シャーシ１０２に取り付けられ、他端がアーム本体９２に取り付けられている。コイルばね９５は、当接部９３がホルダ１９に保持されたＣＤ２の外縁に近づく方向に、アーム本体９２を矢印Ｃ２（図４２に示す）に沿って付勢している。【０１１７】
昇降ストッパ１０６は、板金からなり、板状に形成されている。昇降ストッパ１０６は、挿入口１０と、ホルダ１９との間に配されている。さらに、昇降ストッパ１０６は、ホルダ１９に保持されるＣＤ２を挟んで、このホルダ１９と相対する位置に配されている。昇降ストッパ１０６は、揺動シャーシ１７に取り付けられており、揺動シャーシ１７がＣＤ２から退避した状態の場合にストッパとして機能する。【０１１８】
前述した構成の昇降ストッパ１０６は、挿入口１０を通してＣＤ２を出し入れする際及びＣＤ２を再生するためにディスク再生部５を矢印Ｋに沿って移動する際に、一方側ストッパ１０３又は他方側ストッパ１０４などととともに、ホルダ１９に保持されたＣＤ２の外縁に近接又は接触する。そして、昇降ストッパ１０６は、近接又は接触したＣＤ２を支える。【０１１９】
補助ストッパ１０７は、板金からなり、板状に形成されている。補助ストッパ１０７は、挿入口１０と、ホルダ１９との間に配されている。さらに、補助ストッパ１０７は、ホルダ１９に保持されるＣＤ２を挟んで、このホルダ１９と相対する位置に配されている。補助ストッパ１０７は、昇降ストッパ１０６の矢印Ｋ２側に配され、移動シャーシ１６に取り付けられている。【０１２０】
前述した構成の補助ストッパ１０７は、ディスク再生部５が複数のホルダ１９間に侵入して、一つのホルダ１９に保持された一つのＣＤ２をクランプして再生する際に、前述した他方側ストッパ１０４とともにこの一つのＣＤ２より矢印Ｋ２側の他のＣＤ２の外縁と近接又は接触する。そして、補助ストッパ１０７は、他方側ストッパ１０４とともに矢印Ｋ２側の他のＣＤ２を支える。【０１２１】
前述した構成のＣＤチェンジャ１は、機器本体３内に収容した複数のＣＤ２のうち前述した操作部などにより任意に選択された一つのＣＤ２の情報を読み出す際には、モータ２０の駆動力により第２のスライドシャーシ６２などが移動して、揺動ストッパ１０５の当接部９３が前述した一つのＣＤ２の外縁に近づく方向にアーム本体９２が回転する。そして、図４３及び図４６（ａ）に示すように、当接部９３が前述した一つのＣＤ２の外縁に近接又は接触して、揺動ストッパ１０５はこの一つのＣＤ２を支える。なお、図４６（ａ）では、揺動ストッパ１０５がＣＤ２の外縁に接触した例を示している。【０１２２】
図１９に示すように、モータ２０の駆動力によりすべてのホルダ１９の突起２９を第２壁２７ｂの水平部Ａ上に位置付けておく。さらに、ディスク再生部５の揺動シャーシ１７の他端部即ちターンテーブルとピックアップ再生部を、複数のＣＤ２間から退避させておく。また、駆動源としてのモータ４１の駆動力により、図３４に示すように、第１突起４３が第１孔４４の第１平行部４９内に位置する位置に駆動シャーシ４２を位置付ける。そして、図１９に示すように、移動シャーシ１８を回転部材２５の第２壁２７ａから最も遠ざけておく。【０１２３】
そして、駆動源としてのモータ４１の駆動力により、図３５に示すように、第２突起４５が第２孔４６の第２傾斜部５１内を移動して、情報が読み出される任意に選択された一つのＣＤ２を保持したホルダ１９の突起２９が案内溝３１に矢印Ｋに対し直交する方向に沿って相対する位置に、駆動シャーシ４２を位置付ける。そして、図８及び図２０に示すように、カム部材２４の案内溝３１の開口部３２を、矢印Ｋに対し直交する方向に沿って、情報が読み出される任意に選択された一つのＣＤ２を保持したホルダ１９の突起２９と相対させる。なお、図８及び図２０では、図中上から四つ目のホルダ１９の突起２９とカム部材２４に設けられた案内溝３１とを相対させている。【０１２４】
そして、モータ２０の駆動力により、回転部材２５と移動部材２６及びカム部材２４を一体に回転させる。そして、すべてのホルダ１９の突起２９が、連結壁２８から徐々に離れる。すると、図２１に示すように、情報が読み出される任意に選択された一つのＣＤ２を保持したホルダ１９の突起２９が、案内溝３１の開口部３２に侵入する。さらに、他のＣＤ２を保持したホルダ１９の突起２９が、カム部材２４のくさび部３０に接触するとともに、くさび部３０などにより、第１及び第２離間溝３９，４０内を移動する。【０１２５】
さらに、モータ２０の駆動力により、回転部材２５と移動部材２６及びカム部材２４を一体に回転させると、図２２に示すように、情報が読み出される任意に選択された一つのＣＤ２を保持したホルダ１９の突起２９がローディング部３３内に位置する。また、前述した一つのＣＤ２と、この一つのＣＤ２より矢印Ｋ１側の他のＣＤ２と、この一つのＣＤ２より矢印Ｋ２側の他のＣＤ２とが徐々に離れる。【０１２６】
また、図４５に示すように、前述した一つのＣＤ２より矢印Ｋ１側の他のＣＤ２の外縁に一方側ストッパ１０３が近接又は接触する。そして、一方側ストッパ１０３は、これら
矢印Ｋ１側の他のＣＤ２を支える。なお、図４５では、一方側ストッパ１０３がＣＤ２の外縁に接触した例を示している。【０１２７】
さらに、図４７に示すように、前述した一つのＣＤ２より矢印Ｋ２側の他のＣＤ２の外縁に他方側ストッパ１０４と補助ストッパ１０７との双方が近接又は接触する。そして、他方側ストッパ１０４と補助ストッパ１０７との双方は、これら矢印Ｋ２側の他のＣＤ２を支える。なお、図４７では、他方側ストッパ１０４と補助ストッパ１０７との双方がＣＤ２の外縁に接触した例を示している。【０１２８】
その後、図２３に示すように、前述した一つのＣＤ２を保持したホルダ１９の突起２９が案内溝３１のピックアップ侵入部３４内に位置する。このとき、揺動シャーシ１７が、一端部を中心として回転して、他端部即ちターンテーブルとピックアップ再生部が前述した一つのＣＤ２と他のＣＤ２との間に侵入する。【０１２９】
そして、前述した一つのＣＤ２を保持したホルダ１９の突起２９が、第１連結部３５内を通り、図２４に示すように、クランプ部３６内に位置する。このとき、ディスク再生部５のターンテーブルが前述した一つのＣＤ２をクランプする。すると、モータ２０の駆動力により第２のスライドシャーシ６２などが移動して、揺動ストッパ１０５の当接部９３が前述した一つのＣＤ２の外縁から離れる方向にアーム本体９２が回転する。そして、図４４及び図４６（ｂ）に示すように、当接部９３が前述した一つのＣＤ２の外縁から離れて、揺動ストッパ１０５はこの一つのＣＤ２から退避する。そして、前述した一つのＣＤ２を保持したホルダ１９の突起２９が、第２連結部３７内を通り、図９及び図２５に示すように、再生部３８内に位置する。【０１３０】
さらに、前述した一つのＣＤ２の矢印Ｋ１側に位置するＣＤ２を保持したホルダ１９の突起２９が、カム部材２４のくさび部３０により第１離間溝３９の奥即ち連結壁２８から離れた側に移動する。さらに、前述した一つのＣＤ２の矢印Ｋ２側に位置するＣＤ２を保持したホルダ１９の突起２９が、カム部材２４のくさび部３０により第２離間溝４０の奥即ち連結壁２８から離れた側に移動する。【０１３１】
そして、図９及び図２５に示すように、カム部材２４のくさび部３０に設けられた案内溝３１により、前述した一つのＣＤ２を保持したホルダ１９が位置決めされる。さらに、カム部材２４のくさび部３０と、移動シャーシ１８及び第２壁２７とにより即ち第１及び第２離間溝３９，４０により、前述した一つのＣＤ２を保持したホルダ１９を他のホルダ１９から離す。さらに、他のホルダ１９を、第１及び第２離間溝３９，４０により、位置決めする。【０１３２】
さらに、前述した一つのＣＤ２を保持したホルダ１９の突起２９が再生部３８内に位置すると、該ホルダ１９が、ディスク再生部５のターンテーブルによりクランプされたＣＤ２から遠ざけられる。そして、ホルダ１９にＣＤ２の回転が妨げられることが防止される。ターンテーブルがクランプしたＣＤ２を回転するとともに、ピックアップ再生部の光ピックアップ６６がＣＤ２の所望の位置から情報を読み出す。また、前述したように各ホルダ１９則ちＣＤ２を矢印Ｋに沿って移動する間及びピックアップ再生部の光ピックアップ６６が前述の一つのＣＤ２の所望の位置から情報を読み出す間は、一方側ストッパ１０３は前述した矢印Ｋ１側の他のＣＤ２の外縁に近接又は接触して支え続けるとともに、他方側ストッパ１０４は前述した矢印Ｋ２側の他のＣＤ２の外縁に近接又は接触して支え続ける。前述した一つのＣＤ２からの情報の読み出しを停止する際には、モータ２０の駆動力により、回転部材２５と移動部材２６及びカム部材２４を先ほどと逆向きに回転する。【０１３３】
前述したように、分離機構７は、カム部材２４を矢印Ｋに沿って移動して、第１離間溝
３９の溝幅と第２離間溝４０の溝幅とを連動して拡縮することで、所望のＣＤ２を保持したホルダ１９を位置決めするとともに他のホルダ１９から離す。このように、分離機構７は、一つのＣＤ２を保持したホルダ１９と他のホルダ１９とを、矢印Ｋに沿って、離間する。【０１３４】
例えば、図２６に示すように、図中下から二番目のＣＤ２を保持したホルダ１９を再生位置に位置付ける際や、図２７に示すように、図中上から二番目のＣＤ２を保持したホルダ１９を再生位置に位置付ける際も同様である。なお、図２６及び図２７に示す状態では、図３６及び図３７に示すように、第１突起４３が第１平行部４９内に位置するとともに、第２突起４５が第２傾斜部５１内に位置する。【０１３５】
さらに、前述した一つのＣＤ２を再生する間では、一方側ストッパ１０３が一つのＣＤ２より矢印Ｋ１側の他のＣＤ２を支えるとともに、他方側ストッパ１０４と補助ストッパ１０７との双方が一つのＣＤ２より矢印Ｋ２側の他のＣＤ２を支える。また、揺動ストッパ１０５は、ディスク再生部５が再生する一つのＣＤ２をクランプするまで支え、このディスク再生部５がＣＤ２をクランプすると一つのＣＤ２から退避する。【０１３６】
例えば、図４８に示すように、図中最も下のＣＤ２を再生する際や、図４９に示すように、図中最も上のＣＤ２を再生する際も同様である。なお、図４８に示すように、図中最も下のＣＤ２を再生する際には、移動シャーシ１６則ちディスク再生部５が最も天井板１０１から離れて、一方側ストッパ１０３が他のＣＤ２全てを支える。図４８では、一方側ストッパ１０３が他のＣＤ２全ての外縁と接触した例を示している。【０１３７】
また、図４９に示すように、図中最も上のＣＤ２を再生する際には、移動シャーシ１６則ちディスク再生部５が最も天井板１０１に近づいて、他方側ストッパ１０４と補助ストッパ１０７との双方が他のＣＤ２全てを支える。図４９では、他方側ストッパ１０４と補助ストッパ１０７との双方が他のＣＤ２全ての外縁と接触した例を示している。【０１３８】
また、前述した構成のＣＤチェンジャ１は、操作部などの命令により、機器本体３内に収容した複数のＣＤ２のうち任意に選択された一つのＣＤ２を機器本体３外に排出したり、ＣＤ２を機器本体３内に挿入して任意に選択された一つのホルダ１９に保持させる際には、図７、図１０及び図２８に示すように、モータ２０の駆動力によりすべてのホルダ１９の突起２９を第２壁２７ｂの水平部Ａ上に位置付けておく。さらに、ディスク再生部５の揺動シャーシ１７の他端部即ちターンテーブルとピックアップ再生部を、複数のＣＤ２間から退避させておく。【０１３９】
そして、図３８に示すように、駆動源としてのモータ４１の駆動力により第２突起４５が第２孔４６の第２平行部５２内に位置する位置に駆動シャーシ４２を位置付ける。そして、図７、図１０及び図２８に示すように、カム部材２４を回転部材２５の第２壁２７ａに最も近づけておく。【０１４０】
そして、駆動源としてのモータ４１の駆動力により、図３９に示すように、第１突起４３が第１孔４４の第１傾斜部５０内を移動して、機器本体３内に挿入されたＣＤ２を保持する又は保持したＣＤ２を機器本体３外に排出する一つのホルダ１９の突起２９が案内溝３１の開口部３２に矢印Ｋに対し直交する方向に沿って相対する位置に、駆動シャーシ４２を位置付ける。【０１４１】
そして、図７、図１０及び図２９に示すように、カム部材２４の案内溝３１を、矢印Ｋに対し直交する方向に沿って、前述した一つのホルダ１９の突起２９と相対させる。なお、図７、図１０及び図２９では、図中上から四つ目のホルダ１９の突起２９とカム部材２４に設けられた案内溝３１とを相対させている。【０１４２】
そして、モータ２０の駆動力により、回転部材２５と移動部材２６及びカム部材２４を一体に回転させる。そして、すべてのホルダ１９の突起２９が、連結壁２８から徐々に離れる。すると、図３０に示すように、前述した一つのホルダ１９の突起２９が、案内溝３１の開口部３２に侵入する。さらに、前述した他のホルダ１９の突起２９が、カム部材２４のくさび部３０に接触するとともに、くさび部３０などにより、第１及び第２離間溝３９，４０内を移動する。すると、前述した一つのホルダ１９と、他のホルダ１９とが、徐々に互いに離れる。【０１４３】
図５０（ａ）に示すように、前述した一つのホルダ１９より矢印Ｋ１側の他のホルダ１９に保持されたＣＤ２の外縁に一方側ストッパ１０３が近接又は接触する。そして、一方側ストッパ１０３は、これら矢印Ｋ１側の他のＣＤ２を支える。なお、図５０（ａ）では、一方側ストッパ１０３がＣＤ２の外縁に接触した例を示している。【０１４４】
さらに、図５０（ｂ）に示すように、前述した一つのホルダ１９より矢印Ｋ２側の他のホルダ１９に保持されたＣＤ２の外縁に昇降ストッパ１０６が近接又は接触する。そして、昇降ストッパ１０６は、これら矢印Ｋ２側の他のＣＤ２を支える。なお、図５０（ｂ）では、昇降ストッパ１０６がＣＤ２の外縁に接触した例を示している。【０１４５】
さらに、モータ２０の駆動力により、回転部材２５と移動部材２６及びカム部材２４を一体に回転させると、図１１及び図３１に示すように、前述した一つのホルダ１９の突起２９が、案内溝３１のローディング部３３内に位置する。さらに、前述した他のホルダ１９の突起２９が、カム部材２４のくさび部３０により第１離間溝３９及び第２離間溝４０の奥即ち連結壁２８から離れた側に移動する。【０１４６】
そして、図１１及び図３１に示すように、カム部材２４のくさび部３０に設けられた案内溝３１により、前述した一つのホルダ１９がローディング位置に位置決めされる。さらに、カム部材２４のくさび部３０と移動シャーシ１８及び第２壁２７とにより即ち第１及び第２離間溝３９，４０により、前述した一つのホルダ１９を他のホルダ１９から離す。さらに、第１及び第２離間溝３９，４０により、他のホルダ１９を位置決めする。また、前述したように、ＣＤ２を出し入れするためにホルダ１９を矢印Ｋに沿って移動する間は、他のホルダ１９の保持されたＣＤ２を、一方側ストッパ１０３と、昇降ストッパ１０６と、他方側ストッパ１０４とで支える。【０１４７】
そして、駆動源としてのモータ４１の駆動力によりローラ１４がＣＤ２を出し入れする方向に応じて回転する。ローラ１４が回転することで、挿入口１０を通して機器本体３内にＣＤ２の出し入れが行われる。このとき、揺動ストッパ１０５は、ロードフレーム１１０に取り付けられたレバーのカムの移動により動作状態が変更され、ＣＤ２の挿入にしたがって、回動可能となっている。前述したＣＤ２の出し入れを停止する際には、ローラ１４の回転を停止するとともに、モータ２０の駆動力により、回転部材２５と移動部材２６及びカム部材２４を先ほどと逆向きに回転する。【０１４８】
前述したように、カム部材２４を矢印Ｋに沿って移動することで、第１離間溝３９の溝幅と第２離間溝４０の溝幅とを連動して拡縮することで、所望のホルダ１９をローディング位置に位置決めするとともに他のホルダ１９から離す。例えば、図３２に示すように、図中上から二番目のホルダ１９をローディング位置に位置付ける際や、図３３に示すように、図中下から二番目のホルダ１９をローディング位置に位置付ける際も同様である。なお、図３２及び図３３に示す状態では、図４０及び図４１に示すように、第２突起４５が第２平行部５２内に位置するとともに、第１突起４３が、第１傾斜部５０内に位置する。【０１４９】
さらに、ＣＤ２を出し入れ際には、他のホルダ１９の保持されたＣＤ２を、昇降ストッパ１０６と、一方側ストッパ１０３と他方側ストッパ１０４とで支える。例えば、図５１に示すように、図中最も上のホルダ１９に保持されたＣＤ２を排出する際や最も上のホルダ１９に挿入したＣＤ２を保持させる際も同様である。なお、図５１に示すように、図中最も上のホルダ１９に保持されたＣＤ２を排出する際や最も上のホルダ１９に挿入したＣＤ２を保持させる際には、他方側ストッパ１０４と昇降ストッパ１０６で他のホルダ１９の保持されたＣＤ２全てを支える。なお、図５１では、他方側ストッパ１０４と昇降ストッパ１０６がＣＤ２の外縁に接触した例を示している。【０１５０】
さらに、図５２に示すように、図中最も下のホルダ１９に保持されたＣＤ２を排出する際や最も下のホルダ１９に挿入したＣＤ２を保持させる際も同様である。なお、図５２に示すように、図中最も下のホルダ１９に保持されたＣＤ２を排出する際や最も下のホルダ１９に挿入したＣＤ２を保持させる際には、一方側ストッパ１０３のみで他のホルダ１９の保持されたＣＤ２全てを支える。なお、図５２では、一方側ストッパ１０３のみがＣＤ２の外縁に接触した例を示している。【０１５１】
本実施例によれば、一方側ストッパ１０３が情報を再生する一つのＣＤ２より矢印Ｋ１側の他のＣＤ２を支え、他方側ストッパ１０４と補助ストッパ１０７が情報を再生する一つのＣＤ２より矢印Ｋ２側の他のＣＤ２を支え、揺動ストッパ１０５が情報を再生する一つのＣＤ２を支える。このため、一つのＣＤ２の情報を再生する際に、全てのホルダ１９からＣＤ２が脱落することを防止できる。【０１５２】
また、昇降ストッパ１０６がディスク再生部５とともに移動するとともに、ＣＤ２を支える。このため、複数のホルダ１９則ちＣＤ２を矢印Ｋに沿って移動させても、これらの複数のＣＤ２を、前述した一方側ストッパ１０３、他方側ストッパ１０４、昇降ストッパ１０６及び補助ストッパ１０７のうちいずれかで支えることができる。したがって、ＣＤ２の出し入れの際及びＣＤ２を矢印Ｋに沿って移動する際に、全てのＣＤ２がホルダ１９から脱落することを防止できる。【０１５３】
したがって、ホルダ１９を例えばＣ字状に形成するなどして小型して、ＣＤチェンジャ１自体を小型化しても、全てのホルダ１９からＣＤ２が脱落することを確実に防止できる。【０１５４】
また、ＣＤ２を支えるストッパ１０３，１０４，１０５，１０６，１０７を複数設けることにより、移動機構６０によるディスク再生部５の移動をストッパ１０３，１０４，１０５，１０６，１０７などが妨げることを防止できる。補助ストッパ１０７が他方Ｋ２側のＣＤ２を支えるので、特に他方Ｋ２側のＣＤ２がホルダ１９から脱落することを防止できる。【０１５５】
任意に選択されたＣＤ２を保持したホルダ１９の突起２９を案内溝３１に係合させる。選択されたホルダ１９の矢印Ｋ１側（上方）の他のホルダ１９の突起２９を第１離間溝３９に係合させ、かつ矢印Ｋ２側（下方）の他のホルダ１９の突起２９を第２離間溝４０に係合させる。こうして、突起２９を案内溝３１と第１離間溝３９と第２離間溝４０に係合させて、選択されたＣＤ２を他のＣＤ２から離して、選択されたＣＤ２から情報を読み出す。【０１５６】
また、離間溝拡縮機構２１により、第１及び第２離間溝３９，４０の溝幅が互いに連動して（相対的に）変化するとともに、第１離間溝３９の溝幅と第２離間溝４０の溝幅の和がホルダ１９の数から１を引いて得られた数と突起２９の幅との積に略等しい。このため、がたつくことなく、前述した選択されたＣＤ２を保持したホルダ１９と、他のホルダ１９を位置決めできる。【０１５７】
このため、コイルばねを設けることなく、離間溝拡縮機構２１が第１及び第２離間溝３９，４０の溝幅を連動して（相対的に）変化することで、選択された任意のＣＤ２を保持したホルダ１９を、他のホルダ１９から離すことができる。これにより、ＣＤチェンジャ１が自動車などに搭載されて、走行中などの振動が作用しても、ホルダ１９が振動することを防止できる。したがって、確実に任意に選択されたＣＤ２を保持したホルダ１９を確実に再生位置に位置付けることができる。自動車などに搭載されて、走行中などの振動が作用しても、任意に選択されたＣＤ２の情報を確実に再生することができる。【０１５８】
離間溝拡縮機構２１が、移動部材２６と、この移動部材２６に矢印Ｋに沿って移動自在に設けられたカム部材２４とを備えている。移動部材２６に取り付けられた移動シャーシ１８とカム部材２４のくさび部３０との間が第１離間溝３９を形成し、移動部材２６の第２壁２７とカム部材２４のくさび部３０との間が第２離間溝４０を形成し、カム部材２４のくさび部３０に案内溝３１が形成されている。【０１５９】
このため、カム部材２４を矢印Ｋに沿ってスライドすることで、第１及び第２離間溝３９，４０の溝幅を確実に連動して（相対的に）変化できる。さらに、任意に選択された情報が再生されるＣＤ２を保持したホルダ１９の位置に応じて、カム部材２４がスライドする。したがって、確実に任意に選択されたＣＤ２を保持したホルダ１９を確実に再生位置に位置付けることができる。【０１６０】
カム部材２４と光ピックアップ６６とが一体に（連動して）移動するので、カム部材２４と光ピックアップ６６との相対的な位置が常に一定に保たれる。このため、カム部材２４に設けられた案内溝３１により再生位置に位置決めされたホルダ１９に保持されたＣＤ２から光ピックアップ６６で情報を確実に再生することができる。【０１６１】
ＣＤ２から情報を読み出す際には、移動部材２６を矢印Ｋ１側に移動させて、選択された情報を再生するＣＤ２を保持したホルダ１９の位置に応じて、カム部材２４をスライドさせる。このため、ＣＤ２から情報を読み出す際には、任意のＣＤ２を再生位置に位置付けることができる。したがって、任意のＣＤ２から情報を読み出して再生できる。【０１６２】
また、ＣＤ２を出し入れする際には、カム部材２４を矢印Ｋ２側に移動させて、このカム部材２４の位置と出し入れするＣＤ２に対応したホルダ１９の位置に応じて、移動部材２６をスライドさせる。このため、機器本体３に出し入れされるＣＤ２を保持する又は保持したホルダ１９と機器本体３との相対的な位置を一定に保つことができる。このため、ＣＤ２を挿入口１０内を通して確実に出し入れすることができるとともに、機器本体３内に挿入されたＣＤ２をホルダ１９に確実に保持できる。【０１６３】
また、連動移動機構２２により、ホルダ１９を収容位置と再生位置とに亘って移動することと、ホルダ１９をローディング位置に位置決めすることを一連の動作で行うことができる。このため、部品点数の削減とコストの低減を図ることができる。さらに、ホルダ１９を収容位置と再生位置とに亘って移動する状態とＣＤ２を出し入れする状態とをスムーズに切り換えることができる。【０１６４】
連動移動機構２２が、第１孔４４と第２孔４６が設けられた駆動シャーシ４２と、ディスク収容部６の移動シャーシ１８に設けられた第１突起４３と、ディスク再生部５の移動シャーシ１６に設けられた第２突起４５とを備えている。第１孔４４は、第１傾斜部５０と第１平行部４９とからなり、第２孔４６は、第２傾斜部５１と第２平行部５２とからなる。【０１６５】
ＣＤ２を出し入れする際には、第２突起４５が第２平行部５２内を移動し、第１突起４３が第１傾斜部５０内を移動する。これにより、ＣＤ２を出し入れする際には、ディスク再生部５の移動シャーシ１６即ちカム部材２４が、スライドせずに、位置決めされる。さらに、ＣＤ２を出し入れする際には、ディスク収容部６の移動シャーシ１８と移動部材２６即ちホルダ１９が、矢印Ｋに沿って移動する。【０１６６】
このため、機器本体３に出し入れされるＣＤ２を保持する又は保持したホルダ１９と機器本体３との相対的な位置を一定に保つことができる。したがって、挿入口１０内を通して、ＣＤ２を確実に出し入れすることができるとともに、機器本体３内に挿入したＣＤ２をホルダ１９に確実に保持できる。【０１６７】
ホルダ１９を収容位置と再生位置とに亘って移動する際には、第１突起４３が第１平行部４９内を移動し、第２突起４５が第２傾斜部５１内を移動する。これにより、ホルダ１９を収容位置と再生位置とに亘って移動する際には、ディスク収容部６の移動シャーシ１８と移動部材２６即ちホルダ１９を、スライドせずに位置決めできる。さらに、ホルダ１９を収容位置と再生位置とに亘って移動する際には、ディスク再生部５の移動シャーシ１６即ちカム部材２４が、矢印Ｋに沿って移動する。【０１６８】
このため、ＣＤ２から情報を読み出す際には、任意のＣＤ２を再生位置に確実に位置決めすることができる。したがって、任意のＣＤ２から情報を読み出して再生できる。【０１６９】
移動部材２６が円管状に形成され、カム部材２４が円管状に形成されている。移動シャーシ１８と第２壁２７は移動部材２６の両縁に設けられている。移動部材２６とカム部材２４と回転部材２５は、同軸に配され、モータ２０の駆動力により一体に回転する。このように、移動部材２６とカム部材２４と回転部材２５を回転することで、ホルダ１９を収容位置と再生位置とに亘って移動できる。したがって、移動部材２６とカム部材２４と回転部材２５の移動軌跡を最小限にすることができ、機器本体３即ちＣＤチェンジャ１の小型化を図ることができる。【０１７０】
さらに、カム部材２４と移動部材２６とを矢印Ｋに沿ってスライドすることを単一のモータ４１で行っている。このため、部品点数を抑制でき、ＣＤチェンジャ１の小型化と低コスト化を図ることができる。【０１７１】
前述した実施例では、ディスク形記録媒体としてのＣＤ２を複数収容するＣＤチェンジャ１を示している。しかしながら、本発明では、例えば、ディスク形記録媒体としてのＭＤ（Mini Disc）を複数収容するＭＤチェンジャや、例えば、ＤＶＤ（Digital Versatile Disc）などの他のディスク形記録媒体を複数収容する記録媒体再生装置に適用しても良い。さらに、本発明は、前述したＭＤやＤＶＤなどの記録媒体を１枚だけ収容して、収容した１枚の記録媒体の情報を読み出す記録媒体再生装置に適用しても良いことは勿論である。【０１７２】
また、前述した実施例では、カム部材２４と回転部材２５と移動部材２６等を円柱状に形成し、軸芯周りに回転することで、これらを移動している。しかしながら、本発明では、カム部材２４と回転部材２５と移動部材２６等を例えば板状などの円管及び円管状以外の形状に形成し、例えば、スライドなどの軸芯周りの回転以外の方向にこれらを移動しても良い。【０１７３】
さらに、前述した実施例では、カム部材２４と光ピックアップ６６とを一体に移動して
いる。しかしながら、本発明では、カム部材２４と光ピックアップ６６とを必ずしも一体に移動しなくても良い。要するに、本発明では、カム部材２４と光ピックアップ６６とを連動させて移動することで、これらの相対的な位置間隔を一定に保つことができれば良い。【０１７４】
また、前述した実施例では、連動移動機構２２により、カム部材２４の移動と、移動部材２６の移動とを、一つの駆動源により行えるようにしている。しかしながら、本発明では、カム部材２４の移動と、移動部材２６の移動とを、互いに独立した駆動源により行っても良い。【０１７５】
前述した実施例によれば、以下のＣＤチェンジャ１が得られる。【０１７６】
（付記１）  ＣＤ２を保持可能な複数のホルダ１９を積層配列するディスク収容部６と、
前記ホルダ１９の配列方向Ｋに沿って移動するとともに前記ホルダ１９に保持されたＣＤ２をクランプして再生するディスク再生部５と、
前記ディスク収容部６に収容されたＣＤ２の情報記録面と対向する位置に前記ディスク再生部５を移動する移動機構６０と、
一つのＣＤ２を保持するホルダ１９と他のＣＤ２を保持するホルダ１９とを前記配列方向Ｋに沿って離間する分離機構７と、を備えたＣＤチェンジャ１であって、
前記ホルダ１９の配列方向Ｋのうち一方Ｋ１側の天井板１０１に取り付けられ、かつ前記ＣＤ２を出し入れする挿入口１０と前記ホルダ１９との間に設けられているとともに、前記一つのＣＤ２を前記ディスク再生部５で再生する際に、この一つのＣＤ２より前記一方Ｋ１側の他のＣＤ２を支える一方側ストッパ１０３と、
前記ホルダ１９の配列方向Ｋのうち他方Ｋ２側の底板１１に取り付けられ、かつ前記挿入口１０と前記ホルダ１９との間に設けられているとともに、前記一つのＣＤ２を前記ディスク再生部５で再生する際に、この一つのＣＤ２より前記他方Ｋ２側の他のＣＤ２を支える他方側ストッパ１０４と、
前記ディスク再生部５とともに前記配列方向Ｋに沿って移動し、かつ前記挿入口１０と前記ホルダ１９との間に設けられているとともに、前記ディスク再生部５が再生する一つのＣＤ２をクランプするまで支え、前記ディスク再生部５が前記一つのＣＤ２をクランプするとこの一つのＣＤ２から退避する揺動ストッパ１０５と、
前記ディスク再生部５とともに前記配列方向Ｋに沿って移動し、かつ前記挿入口１０と前記ホルダ１９との間に設けられているとともに、前記ホルダ１９に保持されたＣＤ２を支えることが可能な昇降ストッパ１０６と、
を備えたことを特徴とするＣＤチェンジャ１。【０１７７】
（付記２）  前記ディスク再生部５とともに前記配列方向Ｋに沿って移動し、かつ前記挿入口１０と前記ホルダ１９との間に設けられているとともに、前記一つのＣＤ２を前記ディスク再生部５で再生する際に、この一つのＣＤ２より前記他方Ｋ２側の他のＣＤ２を前記他方側ストッパ１０４とともに支える補助ストッパ１０７を備えたことを特徴とする付記１記載のＣＤチェンジャ１。【０１７８】
なお、前述した実施例は本発明の代表的な形態を示したに過ぎず、本発明は、実施例に限定されるものではない。即ち、本発明の骨子を逸脱しない範囲で種々変形して実施することができる。
【図１】
2005098849.tif 000002
【図２】
2005098849.tif 000003
【図３】
2005098849.tif 000004
【図４】
2005098849.tif 000005
【図５】
2005098849.tif 000006
【図６】
2005098849.tif 000007
【図７】
2005098849.tif 000008
【図８】
2005098849.tif 000009
【図９】
2005098849.tif 000010
【図１０】
2005098849.tif 000011
【図１１】
2005098849.tif 000012
【図１２】
2005098849.tif 000013
【図１３】
2005098849.tif 000014
【図１４】
2005098849.tif 000015
【図１５】
2005098849.tif 000016
【図１６】
2005098849.tif 000017
【図１７】
2005098849.tif 000018
【図１８】
2005098849.tif 000019
【図１９】
2005098849.tif 000020
【図２０】
2005098849.tif 000021
【図２１】
2005098849.tif 000022
【図２２】
2005098849.tif 000023
【図２３】
2005098849.tif 000024
【図２４】
2005098849.tif 000025
【図２５】
2005098849.tif 000026
【図２６】
2005098849.tif 000027
【図２７】
2005098849.tif 000028
【図２８】
2005098849.tif 000029
【図２９】
2005098849.tif 000030
【図３０】
2005098849.tif 000031
【図３１】
2005098849.tif 000032
【図３２】
2005098849.tif 000033
【図３３】
2005098849.tif 000034
【図３４】
2005098849.tif 000035
【図３５】
2005098849.tif 000036
【図３６】
2005098849.tif 000037
【図３７】
2005098849.tif 000038
【図３８】
2005098849.tif 000039
【図３９】
2005098849.tif 000040
【図４０】
2005098849.tif 000041
【図４１】
2005098849.tif 000042
【図４２】
2005098849.tif 000043
【図４３】
2005098849.tif 000044
【図４４】
2005098849.tif 000045
【図４５】
2005098849.tif 000046
【図４６】
2005098849.tif 000047
【図４７】
2005098849.tif 000048
【図４８】
2005098849.tif 000049
【図４９】
2005098849.tif 000050
【図５０】
2005098849.tif 000051
【図５１】
2005098849.tif 000052
【図５２】
2005098849.tif 000053
【手続補正書】
【提出日】平成18年1月31日(2006.1.31)
【手続補正１】
【補正対象書類名】特許請求の範囲
【補正対象項目名】全文
【補正方法】変更
【補正の内容】
【書類名】請求の範囲
【請求項１】記録媒体を保持可能な複数の保持部材を積層配列する収容部と、
前記保持部材の配列方向に沿って移動するとともに前記保持部材に保持された記録媒体をクランプして再生する再生手段と、
前記再生手段が一つの記録媒体を再生する際に、前記一つの記録媒体を保持する保持部材と他の記録媒体を保持する保持部材とを前記配列方向に沿って離間して、前記保持部材毎に定められた互いに異なる位置に当該一つの記録媒体を保持する保持部材を位置付ける分離手段と、
前記一つの記録媒体の情報記録面と対向する位置に前記再生手段を移動する移動手段と、を備えた記録媒体再生装置であって、
前記保持部材の配列方向のうち一方側の壁に取り付けられ、かつ前記記録媒体を出し入れする挿入口と前記保持部材との間に設けられているとともに、前記一つの記録媒体を前記再生手段で再生する際に、前記再生手段とともに移動して、この一つの記録媒体より前記一方側の他の記録媒体を支える一方側ストッパと、
前記保持部材の配列方向のうち他方側の壁に取り付けられ、かつ前記挿入口と前記保持部材との間に設けられているとともに、前記一つの記録媒体を前記再生手段で再生する際に、この一つの記録媒体より前記他方側の他の記録媒体を支える他方側ストッパと、
前記再生手段とともに前記配列方向に沿って移動し、かつ前記挿入口と前記保持部材との間に設けられているとともに、前記再生手段が再生する一つの記録媒体をクランプするまで支え、前記再生手段が前記一つの記録媒体をクランプするとこの一つの記録媒体から退避する揺動ストッパと、
前記再生手段とともに前記配列方向に沿って移動し、かつ前記挿入口と前記保持部材との間に設けられているとともに、前記一つの記録媒体を前記再生手段で再生する際に、この一つの記録媒体より前記他方側の他の記録媒体を前記他方側ストッパとともに支える補助ストッパと、を備えたことを特徴とする記録媒体再生装置。
【請求項２】前記再生手段とともに前記配列方向に沿って移動し、かつ前記挿入口と前記保持部材との間に設けられているとともに、前記保持部材に保持された記録媒体を支えることが可能な昇降ストッパを備えたことを特徴とする請求項１記載の記録媒体再生装置。
【手続補正２】
【補正対象書類名】明細書
【補正対象項目名】０００３
【補正方法】変更
【補正の内容】
【０００３】
再生する再生手段と、前記再生手段が一つの記録媒体を再生する際に、
前記一つの記録媒体を保持する保持部材と他の記録媒体を保持する保持部材とを前記配列方向に沿って離間して、前記保持部材毎に定められた互いに異なる位置に当該一つの記録媒体を保持する保持部材を位置付ける分離手段と、前記一つの記録媒体の情報記録面と対向する位置に前記再生手段を移動する移動手段と、を備えた記録媒体再生装置であって、前記保持部材の配列方向のうち一方側の壁に取り付けられ、かつ前記記録媒体を出し入れする挿入口と前記保持部材との間に設けられているとともに、前記一つの記録媒体を前記再生手段で再生する際に、前記再生手段とともに移動してこの一つの記録媒体より前記一方側の他の記録媒体を支える一方側ストッパと、前記保持部材の配列方向のうち他方側の壁に取り付けられ、かつ前記挿入口と前記保持部材との間に設けられているとともに、前記一つの記録媒体を前記再生手段で再生する際に、この一つの記録媒体より前記他方側の他の記録媒体を支える他方側ストッパと、前記再生手段とともに前記配列方向に沿って移動し、かつ前記挿入口と前記保持部材との間に設けられているとともに、前記再生手段が再生する一つの記録媒体をクランプするまで支え、前記再生手段が前記一つの記録媒体をクランプするとこの一つの記録媒体から退避する揺動ストッパと、前記再生手段とともに前記配列方向に沿って移動し、かつ前記挿入口と前記保持部材との間に設けられているとともに前記一つの記録媒体を前記再生手段で再生する際に、この一つの記録媒体より前記他方側の他の記録媒体を前記他方側ストッパとともに支える補助ストッパと、
を備えたことを特徴としている。
【図面の簡単な説明】
［００１１］［図１］従来の保持部材としてのホルダを示す斜視図である。
［図２］本発明の一実施例にかかる記録媒体再生装置としてのＣＤチェンジャの外観を示す斜視図である。
［図３］図２に示されたＣＤチェンジャの互いに組み付けられた固定シャーシとディスク搬送部とディスク再生部とディスク収容部と分離機構を示す斜視図である。
［図４］図３に示された固定シャーシとディスク再生部とディスク収容部との一部を分解して示す斜視図である。
［図５］図４に示されたディスク収容部と駆動シャーシとの組み付け状態を示す斜視図である。
［図６］図３に示されたディスク収容部のホルダと離間溝拡縮機構とを示す斜視図であ
【国際調査報告】
2005098849.tif 000054
2005098849.tif 000055
2005098849.tif 000056
2005098849.tif 000057